(57)【要約】【課題】ＭＦＰに対してジョブを発信するコンピューティング機器のネットワークにおいて、ＭＦＰを介して、１以上のコンピューティング機器のリモートアクセスを実行する。【解決手段】ＭＦＰ２２０は、ネットワークリンクを介したリモート機器のアクセスが可能な第１コンピューティング機器２１０を識別する命令と、第１コンピューティング機器２１０の仮想デスクトップセッションを開始する命令と、仮想デスクトップセッション内に、複合機２２０のジョブ命令を第１コンピューティング機器２１０へ送信する命令を実行する。第１リモートコンピューティング機器２１０の識別要素は、第２コンピューティング機器２３０から取得する。【選択図】図２
2010055609.tif 000002
【特許請求の範囲】
【請求項１】
処理装置と、メモリと、ディスプレイを有するユーザーインターフェースとを備える複合機であって、
前記処理装置は、前記ユーザーインターフェースを介して、
前記複合機と同一のネットワークにログインした第１コンピューティング機器であって、ネットワークリンクを介したリモート機器のアクセスが可能な前記第１コンピューティング機器を識別する命令と、
前記ユーザーインターフェースを介して、前記第１コンピューティング機器の仮想デスクトップセッションを開始する命令と、
前記仮想デスクトップセッション内に、複合機のジョブ命令を前記第１コンピューティング機器へ送信する命令と、を含む命令を実行する手段を有することを特徴とする複合機。
【請求項２】
前記処理装置は、前記第１コンピューティング機器の識別要素を第２コンピューティング機器から取得する手段を有することを特徴とする請求項１に記載の複合機。
【請求項３】
前記処理装置は、ユーザーが提供した識別要素に基づき前記第１コンピューティング機器の識別要素を第２コンピューティング機器から取得する手段を有することを特徴とする請求項１に記載の複合機。
【請求項４】
前記処理装置は、ユーザーが提供した暗証番号に基づき前記第１コンピューティング機器の識別要素を第２コンピューティング機器から取得する手段を有することを特徴とする請求項１に記載の複合機。
【請求項５】
前記処理装置は、送信された前記ジョブ命令に従って前記複合機のジョブを前記第１コンピューティング機器から受信する手段を有することを特徴とする請求項１に記載の複合機。
【請求項６】
処理装置と、メモリと、ディスプレイとを備える複合機のジョブソースコンピューティング機器における、ユーザーインターフェースを介した機械処理可能なジョブ操作の方法であって、前記方法は、前記ユーザーインターフェースを介して、
前記複合機と同一のネットワークにログインした第１コンピューティング機器であって、ネットワークリンクを介したリモート機器のアクセスが可能な前記第１コンピューティング機器を識別することと、
前記ユーザーインターフェースを介して、前記ジョブソースコンピューティング機器の仮想デスクトップセッションを開始することと、
前記仮想デスクトップセッション内に、複合機のジョブ命令を前記ジョブソースコンピューティング機器へ送信することを有することを特徴とする、機械処理可能なジョブ操作の方法。
【請求項７】
前記第１コンピューティング機器の識別要素を第２コンピューティング機器から取得することを更に有することを特徴とする請求項６に記載の方法。
【請求項８】
ユーザーが提供した識別要素に基づき前記第１コンピューティング機器の識別要素を第２コンピューティング機器から取得することを更に有することを特徴とする請求項６に記載の方法。
【請求項９】
ユーザーが提供した暗証番号に基づき前記第１コンピューティング機器の識別要素を第２コンピューティング機器から取得することを更に有することを特徴とする請求項６に記載の方法。
【請求項１０】
送信された前記ジョブ命令に応じて前記複合機のジョブを前記第１コンピューティング機器から受信することを更に有することを特徴とする請求項６に記載の方法。
【請求項１１】
コンピュータ実行可能な命令を記憶することを特徴とするコンピュータ読み取り可能な媒体であって、
ユーザーインターフェースとディスプレイを有する複合機により実行されるときに、
コンピュータに、前記ユーザーインターフェースを介して、
前記複合機と同一のネットワークにログインした第１コンピューティング機器であって、ネットワークリンクを介したリモート機器のアクセスが可能な前記第１コンピューティング機器を識別させ、
前記ユーザーインターフェースを介して、前記第１コンピューティング機器の仮想デスクトップセッションを開始させ、
前記仮想デスクトップセッション内に、複合機のジョブ命令を前記第１コンピューティング機器へ送信させるようにしたコンピュータ実行可能な命令を記憶することを特徴とするコンピュータ読み取り可能な媒体。
【請求項１２】
前記複合機により実行されるときに、前記複合機に、前記第１コンピューティング機器の識別要素を第２コンピューティング機器から取得させるようにするコンピュータ実行可能な命令を更に記憶することを特徴とする請求項１１に記載のコンピュータ読み取り可能な媒体。
【請求項１３】
前記複合機により実行されるときに、前記複合機に、ユーザーが提供した識別要素に基づき前記第１コンピューティング機器の識別要素を第２コンピューティング機器から取得させるようにするコンピュータ実行可能な命令を更に記憶することを特徴とする請求項１１に記載のコンピュータ読み取り可能な媒体。
【請求項１４】
前記複合機により実行されるときに、前記複合機に、ユーザーが提供した識別要素に基づき前記第１コンピューティング機器の識別要素を第２コンピューティング機器から取得させるようにするコンピュータ実行可能な命令を更に記憶することを特徴とする請求項１１に記載のコンピュータ読み取り可能な媒体。
【請求項１５】
前記複合機により実行されるときに、前記複合機に、ユーザーが提供した暗証番号に基づき前記第１コンピューティング機器の識別要素を第２コンピューティング機器から取得させるようにするコンピュータ実行可能な命令を更に記憶することを特徴とする請求項１１に記載のコンピュータ読み取り可能な媒体。
【請求項１６】
前記複合機により実行される場合、前記複合機に、前記送信されたジョブ命令に応じて前記複合機のジョブを前記第１コンピューティング機器から受信させるようにするコンピュータ実行可能な命令を更に記憶することを特徴とする請求項１１に記載のコンピュータ読み取り可能な媒体。
【発明の詳細な説明】
【技術分野】
【０００１】
本発明は、一般にはネットワーク環境におけるコンピューティング機器のリモートアクセスに関し、より詳細には、ネットワーク環境における複合機からのコンピューティング機器のリモートアクセス技術に関する。
【背景技術】
【０００２】
コンピュータネットワーク環境において、第１コンピューティング機器は仮想ネットワークコンピューティングサーバーをホストし、第２コンピューティング機器は仮想ネットワークコンピューティングクライアントをホストすることができる。ここで、クライアントは、サーバーのデスクトップにアクセスし制御する。
【０００３】
複合機（ＭＦＰ）は、例えばネットワーク接続され、当該ＭＦＰと通信するコンピューティング機器からの情報を印刷したりＦＡＸしたりすることに使用される。ＭＦＰは更に、ドキュメントの用紙をスキャンしたり、スキャンした用紙を電子形式でコンピューティング機器に送信したりするように構成される。
上記のコンピューティング機器がパーソナルコンピュータ（ＰＣ）であるコンピューティングネットワークでは、ＭＦＰは、ＰＣの類として構成されるのではなく、一般には用紙の入出力に機能が限定される周辺機器として構成される。従って、コンピューティング機器とＭＦＰとの典型的な交信においては、ＭＦＰにジョブを印刷させるため、ユーザーは、コンピューティング機器で１以上の工程を実行する必要がある。また、典型的なスキャン操作では、ＭＦＰでスキャンした情報を特定のコンピューティング機器へ送るよう命令するために、ユーザーは、ＭＦＰで１以上の工程を実行する必要がある。
【０００４】
コンピューティング機器が、ＭＦＰを有するネットワークに単にログオンしただけの場合、ユーザーは、単にログオンしたコンピューティング機器からＭＦＰで印刷ジョブを開始することは不可能である。また、ユーザーは、スキャンしたドキュメントファイルをコンピューティング機器で受信されたものとしてＭＦＰで閲覧することは不可能である。
【０００５】
また、遠隔のＭＦＰにおいて、ファイルのセキュアプリンティングの責任者がユーザー１人である場合、特に再印刷の際、発信元又はファイルの発信元のコンピューティング機器からセキュアなＭＦＰまで、ユーザーが複数回行き来する必要がある。
ネットワークアーキテクチャにおいて、ＭＦＰは、ファイルの発信元のコンピューティング機器から離れた施錠された部屋にある。また、ＭＦＰは、暗証番号（ＰＩＮ）の入力に応じた印刷などのセキュリティ対策をサポートするよう構成される。
【０００６】
例えば特許文献１には、印刷指示を行う端末装置から画像形成装置が離れて設置されているような場合であっても、端末装置でなされる印刷設定及び印刷指示を画像形成装置上で行うことを可能とするためのプリンタシステムが開示されている。ここでは、画像形成装置は、端末装置に対してリモートデスクトップ接続の要求を行い、その要求を受けた端末装置は、画像形成装置に対してグラフィック・ユーザ・インターフェースによる操作画面の画像表示データを送信する。そして、画像表示データから生成した操作画面にて、ＰＣ上のプリンタドライバを起動し、所望の印刷結果となる印刷条件に再設定して印刷実行指示を行う。
【先行技術文献】
【特許文献】
【０００７】
【特許文献１】特開２００７−３０４８８１号公報
【発明の概要】
【発明が解決しようとする課題】
【０００８】
本発明は、ＭＦＰに対してジョブを発信するコンピューティング機器のネットワークにおいて、ネットワークにログインしたジョブ発信元のコンピューティング機器のそれぞれのＩＰアドレスとパスワードを含むデータベースに基づき、ＭＦＰを介して、１以上のコンピューティング機器のリモートアクセスを実行するための複合機、ジョブ操作方法、及びコンピュータ読み取り可能な媒体を提供することを目的とする。
【課題を解決するための手段】
【０００９】
本発明に係る複合機は、処理装置と、アドレス可能メモリと、ディスプレイを有するユーザーインターフェースとを備える。
上記の処理装置は、必ずしも以下の順序通りである必要はないが、（ａ）ユーザーインターフェースを介して、ＭＦＰのネットワークにログオンした、すなわちネットワークリンクを介したリモート機器のアクセスが可能な第１コンピューティング機器を識別することと、（ｂ）ユーザーインターフェースを介して、第１コンピューティング機器の仮想デスクトップセッションを開始することと、（ｃ）仮想デスクトップセッション内に、ＭＦＰのジョブ命令を第１コンピューティング機器へ送信することから成る命令を実行するよう構成されることを特徴とする。
【００１０】
いくつかの実施形態において、上記の処理装置は、第１リモートコンピューティング機器の識別要素、すなわち第１リモートコンピューティング機器を第２コンピューティング機器から取得するように更に構成され、及び／又は、ユーザーが提供した識別要素に基づき第１リモートコンピューティング機器の識別要素を第２コンピューティング機器から取得するように更に構成される。
【００１１】
いくつかの実施形態において、上記の処理装置は、ユーザーが提供した暗証番号に基づき、第１リモートコンピューティング機器の識別要素を第２コンピューティング機器から取得するように更に構成される。またいくつかの実施形態において、上記の処理装置は、送信されたジョブ命令に従って複合機のジョブを第１コンピューティング機器から受信するように更に構成される。
【００１２】
本発明は、処理工程として具現化されてもよい。例えば、本発明の実施形態は、処理装置と、アドレス可能なメモリと、ディスプレイとを備える複合機（ＭＦＰ）のユーザーインターフェースを介したジョブソースコンピューティング機器における機械処理可能なジョブ操作の方法を実現するものである。
この方法は、必ずしも以下の順序通りである必要は無いが、（ａ）ユーザーインターフェースを介して、ＭＦＰとネットワーク通信する、すなわちネットワークリンクを介したリモート機器のアクセスが可能な、例えばＭＦＰと同一のネットワークにログオンした第１コンピューティング機器を識別する工程と、（ｂ）ユーザーインターフェースを介して、ジョブソースコンピューティング機器の仮想デスクトップセッションを開始する工程と、（ｃ）仮想デスクトップセッション内に、複合機のジョブ命令をジョブソースコンピューティング機器へ送信する工程とを有することを特徴とする。
【００１３】
機械処理可能な方法としてのいくつかの実施形態は、第１リモートコンピューティング機器の識別要素を第２コンピューティング機器から取得する工程を更に有する。
機械処理可能な方法の他の実施形態は、ユーザーが提供した識別要素に基づき第１リモートコンピューティング機器の識別要素を第２コンピューティング機器から取得する工程を更に有する。
また、機械処理可能な方法のいくつかの実施形態は、ユーザーが提供した暗証番号に基づき第１リモートコンピューティング機器の識別要素を第２コンピューティング機器から取得する工程を更に有する。そして、機械処理可能な方法としての実施形態は、送信されたジョブ命令に応じて複合機のジョブを第１コンピューティング機器から受信する工程を更に有する。
【００１４】
本発明の実施形態は、ＤＶＤ、ＣＤ、あるいは携帯フラッシュメモリ機器などの媒体に存在してもよい。従って、本発明の実施形態は、複合機により実行される場合、コンピュータに、（ａ）ユーザーインターフェースを介して、ＭＦＰとネットワーク通信する、すなわちネットワークリンクを介したリモート機器からアクセス可能な、例えばＭＦＰと同一のネットワークにログオンした第１コンピューティング機器を識別させ、（ｂ）ユーザーインターフェースを介して、第１コンピューティング機器の仮想デスクトップセッションを開始させ、（ｃ）仮想デスクトップセッション内に、複合機のジョブ命令を第１コンピューティング機器へ送信させるようにするコンピュータ実行可能な命令を記憶するコンピュータ読み取り可能な媒体を含む。
【００１５】
また、コンピュータ読み取り可能な媒体は、コンピュータにより実行される場合、コンピュータに、第１コンピューティング機器の識別要素を第２コンピューティング機器から取得させるようにするコンピュータ実行可能な命令を更に記憶する。
また、コンピュータ読み取り可能な媒体は、コンピュータにより実行される場合、コンピュータに、第１コンピューティング機器の識別要素を第２コンピューティング機器から取得させるようにするコンピュータ実行可能な命令をオプションとして更に記憶する。
【００１６】
また、コンピュータ読み取り可能な媒体は、コンピュータにより実行される場合、コンピュータに、ユーザーが提供した識別要素に基づき第１コンピューティング機器の識別要素を第２コンピューティング機器から取得させるようにするコンピュータ実行可能な命令を更に記憶する。
また、コンピュータ読み取り可能な媒体は、コンピュータにより実行される場合、コンピュータに、ユーザーが提供した暗証番号に基づき第１コンピューティング機器の識別要素を第２コンピューティング機器から取得させるようにするコンピュータ実行可能な命令を更に記憶する。
また、コンピュータ読み取り可能な媒体は、コンピュータにより実行される場合、コンピュータに、送信されたジョブ命令に応じて複合機のジョブを第１コンピューティング機器から受信させるようにするコンピュータ実行可能な命令を更に記憶する。
【図面の簡単な説明】
【００１７】
【図１】本発明の実施形態のネットワーク図の例を示す図である。
【図２】本発明の実施形態の機能ブロック図の例を示す図である。
【図３】本発明の実施形態の処理工程例を示すフローチャートである。
【図４】本発明のシステム例を示すブロック図である。
【発明を実施するための形態】
【００１８】
添付の図面中の図において、本発明の複数の実施形態が例示されるが、本発明の範囲を限定するものではない。図１は、本発明のシステム例１００を示す図である。複合機（ＭＦＰ）１１０はネットワークリンク１１１を備え、パーソナルコンピュータ１２０として示されるコンピューティング機器はネットワークリンク１２１を備え、コンピューティング機器１３０はネットワークリンク１３１を備え、これらはローカルエリアネットワークやインターネットなどの通信媒体１４０を介して操作可能に通信する。
【００１９】
ネットワークリンク１１１、１２１、１３１は複数のリンクから構成され、無線通信リンクと、有線及び光ファイバー通信リンクとを備える。処理工程例を図２の機能ブロック図及び図３のフローチャートの両方に示す。
図２を参照すると、コンピュータネットワーク環境２００において、第１コンピューティング機器２１０は仮想ネットワークコンピューティングサーバー２１１をホストし、別のコンピューティング機器が仮想ネットワークコンピューティングクライアント２２１をホストする複合機（ＭＦＰ）２２０として示される。ここで、クライアントはサーバー２１１のオペレーティングシステムのデスクトップ部にアクセスして制御する。
【００２０】
図２に例示したシステムにおいて、図３のフローチャートに示すように処理工程例３００が実行される。この際、第１コンピューティング機器からＭＦＰにジョブが送信される（ステップ３１０）。
ＭＦＰにおいてユーザーが、ジョブ又はジョブのバリエーションをそのＭＦＰに再送信することを所望する場合、ＭＦＰにおけるジョブの状態に応じて、ユーザーが所望するジョブを起動したコンピューティング機器の識別をＭＦＰで開始する（ステップ３２０）。
【００２１】
ユーザーは、第１コンピューティング機器とＭＦＰ間のリモートアクセスセッションを設定する必要はないが、例えば、ＭＦＰのネットワークにログオンしたネットワークリンクを介して、リモート機器のアクセスのために第１コンピューティング機器が利用できることが好ましい。従って、本処理例の別の実施形態はステップ３２０から開始し、この際、例えば、ユーザーは、第１コンピューティング機器からＭＦＰへ初めて送られたＭＦＰのジョブを開始することを所望し、あるいは、第１コンピューティング機器からＭＦＰへの関係のない又は前回の通信を開始することを所望する。
【００２２】
いずれの例においても、コンピューティング機器が識別されると、第１コンピューティング機器及びＭＦＰ間において、仮想デスクトップのセッション又はオペレーティングシステム（ＯＳ）に基づいてセッションを開始する（ステップ３３０）。これにより本処理工程例を続行するが、これには、第１コンピューティング機器のＩＰアドレスに関連するパスワードの送信が含まれる。第１コンピューティング機器からＭＦＰへの印刷ジョブなどの同一又は修正したジョブの送信を開始すると（ステップ３４０）、仮想デスクトップのセッションが終了する。
【００２３】
図２に例示のシステムでは、第１のユーザーがユーザーインターフェース２１２を介してサブプロセスを開始する。ここで、第１コンピューティング機器は、ユーザーの入力に応じて、ジョブ、例えば印刷ジョブ２１３をＭＦＰ２２０に送信する。ＭＦＰにおいて、第１のユーザー又は第２のユーザーは、ネットワーク２００の第１コンピューティング機器２１０の位置を見つけるために、例えばＩＰアドレスを決定するために、ＭＦＰのユーザーインターフェース２２２を介してサブプロセスを開始する。
【００２４】
図２に例示したシステム例では、サーバー２３１をホストする第２コンピューティング機器２３０に対して、ＭＦＰ２２０から送信された問い合わせ２２３が示されている。サーバー２３１は、ネットワークに現在ログインしている１以上のコンピューティング機器を各々のＩＰアドレスといっしょに提供する（問い合わせ２３２）。
【００２５】
ＭＦＰのユーザーインターフェース２２２において、ユーザーは、第１コンピューティング機器を選択し、第１コンピューティング機器がホストするサーバー２１１を起動すべく、第１コンピューティング機器２１０に送信される（問い合わせ２２４）パスワードを第１コンピューティング機器に入力する。そして、第１コンピューティング機器２１０のオペレーティングシステムのデスクトップの仮想デスクトップ２１４を動かす。
【００２６】
動かされた仮想デスクトップ２１４を介して、ＭＦＰのユーザーインターフェース２２２において、ユーザーはジョブ２２５、例えば第１コンピューティング機器２１０からＭＦＰ２２０に送信された最新のジョブのジョブ設定を修正する。そして修正したジョブ、例えば、修正した印刷ジョブを実行するよう要求する（問い合わせ２２６）。その後、第１コンピューティング機器２１０のサーバー２１１は、ＭＦＰ２２０に修正したジョブ２１５を送信する。
【００２７】
図２に例示したシステム例のいくつかの実施形態において、問い合わせ２２３の一部に対し、ユーザーの暗証番号（ＰＩＮ）が、ＭＦＰ２２０から第２コンピューティング機器２３０に送信される。第２コンピューティング機器２３０がホストするサーバー２３１は、ネットワークに現在ログインしている１以上のコンピューティング機器を各々のＩＰアドレスといっしょに提供する（問い合わせ２３２）。
【００２８】
第２コンピューティング機器２３０は、暗証番号（ＰＩＮ）と、第１コンピューティング機器２１０のＩＰアドレス及びパスワードの両方とを関連付ける。いくつかの実施形態において、ＰＩＮとＩＰアドレス及びパスワードとを関連付けるデータベースは、ＭＦＰにおいてホストされる。
【００２９】
本発明の実施形態は、クライアントノードとサーバーノードとを備え、それぞれのノードには、第２コンピューティングノードを介した第１コンピューティングノードへのアクセス、すなわち、リモートアクセスをサポートするのに十分なコンピュータ命令が存在する。このようなネットワークのためのリモートアクセスのソフトウェアは、ＲｅａｌＶＮＣ社製のＲＥＡＬＶＮＣ（登録商標）から得られ、またＭＩＣＲＯＳＯＦＴ（登録商標）のＷＩＮＤＯＷＳ（登録商標）のリモートデスクトッププロトコルを介して得られる。
【００３０】
リモートアクセスソフトウェアのサーバー版をホストするサーバーのユーザーは、リモートアクセスソフトウェアのクライアント版をホストするクライアントのユーザーインターフェースを介してサーバーにアクセスする。例えば、固有の暗証番号（ＰＩＮ）は、サーバーのＩＰアドレスと、リモートアクセスソフトウェアにより提供されたリモートアクセスインターフェースを介したサーバーへのアクセスを可能にするパスワードに関連付けられる。
【００３１】
クライアントのユーザーインターフェースを介してＰＩＮを入力することにより、ユーザーはサーバーのデスクトップを制御する。ＰＩＮは、タッチスクリーン又はキーボードを介して、電波による個体識別（ＲＦＩＤ；Radio Frequency Identification）タグ又は近接バッジなどのトランスポンダーといった近接機器を介して手動で入力される。従って、ユーザーは、ＭＦＰを介して修正した設定で、ドキュメントの最初の印刷又は再印刷を開始する。
【００３２】
図４は、図１に例示した実施形態を更に詳細に示す図である。ネットワークシステム４００は、ＭＦＰ１１０と、通信媒体１４０を介してネットワーク接続されたパーソナルコンピュータ１２０及びコンピューティング機器１３０から構成される。クライアントノードの一例として、ＭＦＰ１１０は、ユーザーインターフェース４０１と、印刷モジュール４０２と、スキャンモジュール４０３と、電子メールモジュール４０４と、ＭＦＰのリモートアクセスクライアント４０６をホストするよう構成されたオペレーティングシステム（ＯＳ）を含む中央処理装置（ＣＰＵ）４１４とを備えている。
【００３３】
データストア４０７は、ＭＦＰ１１０で生成したあるいは通信インターフェース４０８を介して受信した１以上のジョブファイルを記憶するためのものである。サーバーノードの一例として、パーソナルコンピュータ１２０は、ユーザーインターフェース４１１と、データストア４１２と、通信インターフェース４１３と、リモートアクセスサーバーをホストするよう構成されたＯＳを含むＣＰＵ４０４とを備える。
【００３４】
サーバーノードのオプションの一例として、コンピューティング機器１３０は、通信インターフェース４２１と、サーバーをホストするよう構成されたＯＳを含むＣＰＵ４２２と、１以上のインデックスモジュール４２３とを備える。インデックスモジュール４２３は、ＭＦＰ１１０からの１以上の通信に応じてコンピューティングノードにリモートアクセスするためのコンピューティングノードのＩＰアドレス及び／又はパスワードを提供するために、例えば、テーブルを記憶するデータストア４２４にアクセスするように構成されている。
【００３５】
図４のユーザーインターフェースは、少なくとも１つのユーザーインターフェースエレメントを備える。ユーザーインターフェースエレメントの例としては、ボタン、ダイアル、キーボード、タッチパッド、タッチスクリーン、マウス、ホイール関連の機器及びボイスＬＯＳインタープリタ（voice and line-sight interpreters）などの手動入力を含む入力機器が挙げられる。ユーザーインターフェースエレメントの他の例としては、ディスプレイ、触覚フィードバック機器、聴覚機器などの出力機器が挙げられる。ＭＦＰのディスプレイは、サーバーノードのデスクトップの一部、すなわち、識別されたパーソナルコンピュータをユーザーが見るのに十分な大きさがあり、ＭＦＰのディスプレイは、サーバーノードのデスクトップの他の部分を表示するためにサポートするように構成されている。
【００３６】
ＭＦＰのユーザーインターフェースのいくつかの実施形態において、ディスプレイは、例えば、印刷ジョブの名前によって識別することで印刷した一組の最新の印刷ジョブを出力する。ＭＦＰの処理は、これら表示されたジョブの１つのユーザーによる選択を受信し、またユーザーが提供したパスワードを受信するようになっている。
【００３７】
ジョブの名前及びパスワードの入力に応じて、ＭＦＰは、選択した印刷ジョブに関連するＩＰアドレスを用いてリモートデスクトップのセッションを確立する。他の実施形態において、第１コンピューティング機器のプリンタドライバは、ソースコンピューティングノードとしてその名前、すなわちコンピュータ名を印刷ジョブに埋め込む。従って、ＭＦＰは、最新の印刷ジョブのそれぞれの印刷ジョブ名をディスプレイに出力するのではなく、最新の印刷ジョブのそれぞれのコンピュータ名を表示する。その後、ユーザーは、表示された最適なコンピュータ名を選択し、パスワード又はＰＩＮを用いて、ＭＦＰから選択したコンピュータのリモートアクセスを開始する。
【００３８】
ＮｅｔＢＩＯＳ名前情報のＩＰネットワークのスキャンは、ｈｔｔｐ：／／ｗｗｗ．ｉｎｅｔｃａｔ．ｎｅｔ／ｓｏｆｔｗａｒｅ／ｎｂｔｓｃａｎ．ｈｔｍｌ．で入手できるＮＢＴＳｃａｎを介して具現化される。システムにログインしたコンピュータの検知は、Ｍｏｔｉｖａｔｅ  Ｓｙｓｔｅｍｓ（登録商標）によるユーザーロケータを介して具現化される。
【００３９】
以上により、ネットワークにログインしたジョブ発信元のコンピューティング機器のそれぞれのＩＰアドレス及びパスワードを含むデータベースに基づき、ＭＦＰに対してジョブを発信するコンピューティング機器のネットワークにおける１以上のコンピューティング機器のＭＦＰを介してリモートアクセスを実行するためのシステム、機器、方法、及びコンピュータ読み取り可能な媒体が本明細書において提供されるということが理解されよう。本明細書に記載のモジュール及び機能は更に再分割、組み合わせ、及び／又は変更することができるが、それでも本発明の実施形態の精神に含まれるということも、当業者によって理解されるであろう。
【００４０】
また、本発明の様々なバリエーションを詳細に示して説明したが、本発明の範囲内のその他の修正は、本開示に基づき当業者により直ちに明らかになり、例えば、本明細書に記載のフローチャート又は処理工程の例は修正及び変更を加えることができるが、それでも本発明の精神に含まれる。実施形態の特定の特徴及び態様の様々な組み合わせ又は部分的組み合わせが可能であり、更に本発明の範囲内であることも考えられる。従って、開示された実施形態の様々な特徴及び態様は、開示の発明の各種形態を形成するため、互いに組み合わせたり代替したりすることができるということが理解されよう。よって、本明細書において開示された本発明の範囲は、上記開示された特定の実施形態によって制限されないことが意図されている。
【符号の説明】
【００４１】
１１０…ＭＦＰ、１１１…ネットワークリンク、１２０…パーソナルコンピュータ、１２１…ネットワークリンク、１３０…コンピューティング機器、１３１…ネットワークリンク、１４０…通信媒体、２００…ネットワーク、２１０…コンピューティング機器、２１１…サーバー、２１１…仮想ネットワークコンピューティングサーバー、２１２…ユーザーインターフェース、２１３…印刷ジョブ、２１４…仮想デスクトップ、２１５…ジョブ、２２０…ＭＦＰ、２２１…仮想ネットワークコンピューティングクライアント、２２２…ユーザーインターフェース、２２３…クエリ、２２５…ジョブ、２３０…コンピューティング機器、２３１…サーバー、４００…ネットワークシステム、４０１…ユーザーインターフェース、４０２…印刷モジュール、４０３…スキャンモジュール、４０４…ＣＰＵ、４０４…電子メールモジュール、４０６…リモートアクセスクライアント、４０７…データストア、４０８…通信インターフェース、４１１…ユーザーインターフェース、４１２…データストア、４１３…通信インターフェース、４２１…通信インターフェース、４２２…ＣＰＵ、４２３…インデックスモジュール、４２４…データストア。
【図１】
2010055609.tif 000003
【図２】
2010055609.tif 000004
【図３】
2010055609.tif 000005
【図４】
2010055609.tif 000006